(57)【要約】【課題】前板を故意に開けて行われる不正行為を防止し、しかも前板の構造の簡素化及びその製作コストの低廉が図られる遊技機を提供する。【解決手段】遊技機本体Ｐ１の前面の一側に遊技盤３の遊技部３ａを覆う透明板保持枠４とその下方に位置し打球発射部２６ａを覆う前板６とを開閉自在に軸着した遊技機Ｐであって、前記前板６の開放側の裏面に後方へ突設されかつ先端部に下方へ突出する係合爪２５が設けられる複数の係合片２３を取着し、遊技機本体Ｐ１の下部前面に正面を向く金属製の支持板２９を固着し、支持板２９に各係合片２３と対向位置して各係合爪２５が係合し得る係合孔３０を貫設し、前板６を遊技機本体Ｐ１側へ押し込むと共に各係合爪２５を各係合孔３０に上から係合させることにより該前板６が施錠されるようにした構成からなる。【選択図】図２
2008017984.tif 000002
【特許請求の範囲】
【請求項１】
遊技機本体の前面の一側に遊技盤の遊技部を覆う透明板保持枠とその下方に位置し打球発射部を覆う前板とを開閉自在に軸着した遊技機であって、
前記前板の開放側の裏面に後方へ突設されかつ先端部に下方へ突出する係合爪が設けられる複数の係合片を取着し、前記遊技機本体の下部前面に正面を向く金属製の支持板を固着し、前記支持板に前記各係合片と対向位置して前記各係合爪が係合し得る係合孔を貫設し、前記前板を前記遊技機本体側へ押し込むと共に前記各係合爪を前記各係合孔に上から係合させることにより該前板が施錠されるようにしたことを特徴とする遊技機。
【請求項２】
前記支持板の前面に、前記前板を閉じて施錠したとき該前板の裏面に当接して該前板を前側へ付勢する弾発手段を設け、前記前板が開錠されたとき前記弾発手段により該前板を前側へ押し出すようにした請求項１記載の遊技機。
【発明の詳細な説明】
【技術分野】
【０００１】
本発明は、遊技機本体の前面の一側に遊技盤の遊技部を覆う透明板保持枠とその下方に位置し打球発射部を覆う前板とを開閉自在に軸着してなる遊技機に関するものである。
【背景技術】
【０００２】
従来、遊技機の一種でありこの種のパチンコ遊技機として次のような構成からなるものがある。すなわち、該パチンコ遊技機は、遊技機本体の前面の一側に開閉自在に軸着される前板の開放側の裏面に、捻りコイルバネにより常に上方へ付勢されるスライド爪と該スライド爪を支持するロック台板とからなる鍵機構が設けられる。遊技機本体側には、上下に所定の間隔離して上・下部係合片がそれぞれ設けられている。
【０００３】
更に詳しく説明すると、前記スライド爪には上下に所定の間隔離して後方へ突出する上・下部爪本体が設けられる。そして、前板を閉じたとき、前記スライド爪が捻りコイルバネにより上方へ付勢され、上・下部爪本体が遊技機本体側の上・下部係合片に下側から係合して前板が施錠される。一方、前板を開けるときは、透明板保持枠を前側へ開いた状態で、前板上方からスライド爪を押し下げる。これにより、上・下部係合片から上・下部爪本体が外れてその係合が解かれ、前板が開錠して開けられるようになっている（例えば、特許文献１参照。）。
【０００４】
【特許文献１】特開２００１−７０５９３号公報（第４−６頁段落００２２〜００３３、図６−８）
【発明の開示】
【発明が解決しようとする課題】
【０００５】
しかしながら、前記特許文献１のパチンコ遊技機にあっては、鍵機構のスライド爪を下方へ押し下げるのみで前板が開錠して開けられることになるので、僅かな隙間から針金等の不正具を進入させ前記スライド爪を無用に押し下げて前板を開け、不正行為が行なわれる危険性が高い。例えば、このようにして前板が開けられると、更に遊技部に不正具を這わせ入賞装置を開放して入賞球を故意に発生させるという不正行為が行われる。また、鍵機構がスライド爪、該スライド爪を支持するロック台板、捻りコイルバネなど多数の部材から構成され、これらを前板の裏面に取着しなければならず、複雑な構成となってその成形や組み付けが面倒であるばかりか製作コストも高くなるという課題があった。
【０００６】
そこで、本発明は上記課題を解決すべくなされたもので、前板を故意に開けて行われる不正行為を防止し、しかも前板の構造の簡素化及びその製作コストの低廉が図られる遊技機を提供することを目的とするものである。
【課題を解決するための手段】
【０００７】
かかる目的を達成するため本発明の遊技機は、遊技機本体の前面の一側に遊技盤の遊技部を覆う透明板保持枠とその下方に位置し打球発射部を覆う前板とを開閉自在に軸着した遊技機であって、前記前板の開放側の裏面に後方へ突設されかつ先端部に下方へ突出する係合爪が設けられる複数の係合片を取着し、前記遊技機本体の下部前面に正面を向く金属製の支持板を固着し、前記支持板に前記各係合片と対向位置して前記各係合爪が係合し得る係合孔を貫設し、前記前板を前記遊技機本体側へ押し込むと共に前記各係合爪を前記各係合孔に上から係合させることにより該前板が施錠されるようにした構成からなる。
【０００８】
この際、前記支持板の前面に、前記前板を閉じて施錠したとき該前板の裏面に当接して該前板を前側へ付勢する弾発手段を設け、前記前板が開錠されたとき前記弾発手段により該前板を前側へ押し出すようにすることが好ましい。
【発明の効果】
【０００９】
本発明に係る遊技機は、前板の開放側の裏面に後方へ突設されかつ先端部に下方へ突出する係合爪が設けられる複数の係合片を取着し、遊技機本体の下部前面に正面を向く金属製の支持板を固着し、該支持板に各係合片と対向位置して各係合爪が係合し得る係合孔を貫設した構成からなる。これにより、各係合爪が各係合孔に上から係合することになって透明板保持枠を開き前板を上方へ少し引き上げないと該前板が開かないので、該前板がしっかりと施錠され、前板を故意に開いて行われる不正行為を防止することができる。
【００１０】
また、前板の裏面には係合片を取着するのみで済み簡単な構成からなるので、前板の構造の簡素化及びその製作コストの低廉が図られるという効果がある。
【００１１】
また、前記支持板の前面に、前板を閉じて施錠したとき該前板の裏面に当接して該前板を前側へ付勢する弾発手段を設けるようにすれば、前板が開錠されたとき弾発手段により前板を前側へ押し出すことになり、前板の開放動作が簡単にしかも楽に行えるという効果がある。
【発明を実施するための最良の形態】
【００１２】
以下、本発明に係る遊技機の実施の形態を図面に基づき説明する。なお、本発明は、例えば、パチンコ遊技機、アレンジボール機、雀球遊技機、パロット（登録商標）機等の遊技機に適用できるが、その一例としてパチンコ遊技機について説明する。図１は本発明に係るパチンコ遊技機の正面図、図２は同透明板保持枠及び前板を開いた状態の斜視図である。
【００１３】
パチンコ遊技機Ｐは、外側に縦長長方形状の外枠１を有し、その前面に内枠２がその一側を支点として開閉自在に装着され、該内枠２に遊技盤３が設置される。本発明にあっては、前記外枠１及び内枠２を合わせて遊技機本体Ｐ１という。また、該内枠２の前面の一側に前記遊技盤３の前面を覆う透明板保持枠４が開閉自在に軸着され、その下方に位置して後記する打球発射部２６ａへ供給される打球としての遊技球を貯留する上部の球受皿５が装着された前板６が同じく内枠２の前面の一側に開閉自在に軸着される。
【００１４】
前記前板６の前面であって前記上部の球受皿５の下方に、該上部の球受皿５から溢れる遊技球を貯留する下部の球受皿７が装着される。これら上・下の球受皿５，７は前覆い枠８により上下で連続して一体に成形されており、その前面に下部の球受皿７に手を差し込める開口９が開設される。該開口９の下方の前覆い枠８の前面に、下部の球受皿７に溜まった遊技球を正面から見て左右方向へ摺動して球抜きするための球抜きレバー１０が設けられる。前板６における下部の球受皿７の一側には灰皿１１が装着され、他側は凹弧状に切り欠かれると共にその切り欠かれた凹弧状部６ａに内枠２の下隅角部に設けられ前方ヘ突出する突出隅部１２が合致する。該突出隅部１２の前面には、遊技球である打球の発射力を調整するための打球力調整ハンドル１３が装着されている。
【００１５】
前記遊技盤３の前面に、渦巻状に敷設された内側・外側ガイドレール１４ａ，１４ｂに囲われて遊技部３ａが成形される。そして、該遊技部３ａに、その中央に位置して数字、図柄等の情報を変動表示する可変表示装置１５、遊技球の入賞によって前記情報を変動させる始動入賞口１６が装着される。また、その下方に、前記可変表示装置１５の情報が特定の表示（例えば、「７７７」）に揃ったとき、一定の条件の下で一度に多くの賞球としての遊技球が得られる入賞装置１７が装着されている。
【００１６】
前記前板６には、その軸着側に内枠２の裏側に装着される球払出装置（図示せず。）から払い出された遊技球を上部の球受皿５に払い出すための球払出口１８が開設される。また、前板６の裏面であってその開放側寄りに、前記上部の球受皿５に貯留される遊技球を導き入れ後記する発射レール２６の打球発射部２６ａに一個ずつ供給するための打球供給装置１９が取着される。該打球供給装置１９には、その裏面に打球発射部２６ａと対向位置して供給口２０が設けられ、その一側に上部の球受皿５に貯留される遊技球を球抜きする場合の球抜き口２１が設けられている。打球供給装置１９の下方であって前板６に、前記球抜き口２１から排出される球抜き時の遊技球を下部の球受皿７に排出するための球排出口２２が開設される。
【００１７】
そして、図３に示すように前板６の開放側であってその裏面に、前記凹弧状部６ａの上方と側方に位置してそれぞれ前板６を遊技機本体Ｐ１の内枠２前面に施錠するための係合片２３が設けられている。各係合片２３は、前板６裏面にネジ２４止めされる取付板部２３ａと該取付板部２３ａから直角に折れ曲り後方へ突設される係合片部２３ｂとからなり、該係合片部２３ｂの先端部に下方へ突出する係合爪２５が設けられる。更に詳しく説明すると、係合片部２３ｂの下縁２３ｃと係合爪２５の前縁２５ａとは直交している。また、係合爪２５の後縁２５ｂは後方へ進むに従い上傾する傾斜面に成形されている。
【００１８】
一方、図４、図６に示すように遊技機本体Ｐ１を構成する内枠２の前面に発射レール２６が装着され、該発射レール２６の一側に打球発射装置２７が装着される。該打球発射装置２７には、打球供給装置１９から発射レール２６の打球発射部２６ａに供給された遊技球を打球する打球杆２８が回動自在に軸着されている。この打球杆２８は駆動源であるステッピングモータ（図示せず。）により駆動し、前記打球力調整ハンドル１３の回動動作に合わせてその打球の強さの強弱が調節できるようになっている。
【００１９】
図４乃至図６に示すように、前記内枠２の前面であって発射レール２６側の下隅角部に正面を向くようにして金属製の支持板２９が固着される。該支持板２９は、上方へ突出する上板部２９ａと側方（内側）へ突出する側板部２９ｂとから正面Ｌ字状に成形され、その交差する角部に前記打球力調整ハンドル１３が取着される。また、上・側板部２９ａ，２９ｂに前記各係合片爪２３，２３に対応位置して略縦長長方形状の係合孔３０，３０が開設され、各係合片２３，２３の係合爪２５がそれぞれ係合孔３０，３０に係合することにより、前板６が内枠２の前面に施錠されることになる。前記各係合孔３０の上縁には、裏側の斜め下方へ延びるガイド片３１が設けられている。
【００２０】
また、支持板２９の前面であって各係合孔３０の一側に、前記前板６を閉じて施錠したとき該前板６の裏面に当接して該前板６を前側へ付勢する弾発手段としての板バネ３２が設けられる。各板バネ３２は、上端部をビス止めして固着され、下端部が前側の斜め下方に延出されている。そして、前記前板６が開錠されたとき前記板バネ３２により該前板６を前側へ押し出すようになっている。
【００２１】
前記打球力調整ハンドル１３は、その基端部１３ａを支持板２９に開設された取付孔３３に挿通すると共に支持板２９の裏側に突出した基端部１３ａを抜け止め機構３４により固定することにより装着される。支持板２９の前面であって前記突出隅部１２に相当する部位には、カバー部材３５が装着される。なお、図示は省略するが、打球力調整ハンドル１３と打球供給装置１９、打球発射装置２７とはそれぞれ電気的に接続され、中央制御装置（図示せず。）により制御されるようになっている。
【００２２】
そこで、上部の球受皿５に貯留された遊技球は打球供給装置１９内に待機され、この状態で打球力調整ハンドル１３を握って回動させることにより打球杆２８が往復回動する。これに伴い、前記打球供給装置１９の供給口２０から待機していた遊技球が、打球発射部２６ａへ一個ずつ供給されると共に打球杆２８により打球されて遊技部３ａに打ち込まれる。
【００２３】
本発明に係るパチンコ遊技機は上記構成からなり、通常は、図７に示すように前板６側の各係合片２３の係合爪２５が各支持板２９の各係合孔３０に係合して、前板６が施錠されている。この場合、その上方にある透明板保持枠４の下縁と前板６の上縁とがほぼ接触しており、透明板保持枠４を開かない限り前板６が開かないようになっている。なお、透明板保持枠４は、内枠２の前面開放側であって所定の位置に設けられた錠３６に鍵（図示せず。）を挿すことにより施錠又は開錠できる。
【００２４】
そこで、例えば発射レール２６で球詰まりが起きてそのトラブルを解消するため前板６を開けるときは、まず、透明板保持枠４を開けた状態で、前板６を少し上方へ持ち上げ係合爪２５と係合孔３０との係合を解く。そして、図８実線に示すように前板６を前側へ引き出して開ける。また、前記トラブルを解消した後は、前板６を内枠２側へ押し込み図８鎖線に示すように各係合片２３における係合爪２５の傾斜する前縁２５ａを各係合孔３０の下縁に当接させる。この状態で、前板６を少し上方へ持ち上げつつ押し込み各係合孔３０に各係合爪２５を係合させる。これにより、図７に示すように各係合爪２５の前縁２５ａが、各係合孔３０の下縁の内側に位置してしっかりと係合する。
【００２５】
このように各係合爪２５が各係合孔３０に上から係合することになって該前板６がしっかりと施錠される。しかも、透明板保持枠４を開いてから前板６を上方へ少し引き上げないと該前板６が開かないことから、前板６を故意に開いて行われる不正行為を防止することができる。
【００２６】
また、前板６は、図７に示すように施錠されているとき、常に板バネ３２により前側へ付勢されているので、前板６を開けるとき板バネ３２により前板６が前側へ押し出される。また、この際、各係合片の上端部が各ガイド片３１の下面に当接して前側へ案内されることになり、これにより前板６の開放動作が簡単にしかも楽に行える。
【００２７】
本発明にあっては、前面に上部の球受皿５と下部の球受皿７とを一体に装着した前板６について説明したが、発射レール２６の前面を覆うものであれば上部の球受皿５のみを装着した前板であっても本発明が適用されることは勿論である。
【図面の簡単な説明】
【００２８】
【図１】本発明に係るパチンコ遊技機の正面図。
【図２】同透明板保持枠及び前板を開いた状態の斜視図。
【図３】前板の開放側を裏側から示す斜視図。
【図４】遊技機本体の開放側を表側から示す斜視図。
【図５】支持板を裏側から示す斜視図。
【図６】遊技機本体の開放側を示す正面図。
【図７】前板を遊技機本体に施錠した状態の側面断面図。
【図８】前板を遊技機本体から開錠した状態の側面断面図。
【符号の説明】
【００２９】
３                      遊技盤
３ａ                    遊技部
４                      透明板保持枠
６                      前板
２３                    係合片
２５                    係合爪
２６ａ                  打球発射部
２９                    支持板
３０                    係合孔
３２                    弾発手段（板バネ）
Ｐ                      遊技機（パチンコ遊技機）
Ｐ１                    遊技機本体
【図１】
2008017984.tif 000003
【図２】
2008017984.tif 000004
【図３】
2008017984.tif 000005
【図４】
2008017984.tif 000006
【図５】
2008017984.tif 000007
【図６】
2008017984.tif 000008
【図７】
2008017984.tif 000009
【図８】
2008017984.tif 000010